(57)【特許請求の範囲】
【請求項１】
光学的手段によって書き換え可能な記録媒体に情報を記録する記録装置であって：
前記記録媒体への記録開始前に、前記記録媒体に上書き不可能であることを示す上書き不可情報を所定の領域に記録する情報記録部と；
前記記録媒体への記録が成功したかどうかを判断する記録判断部と；
を含み、
前記情報記録部は、前記記録判断部で前記記録媒体の記録が成功したと判断した場合に、前記所定の領域を上書き可能であることを示す上書き可能情報で埋めて記録し、前記所定の領域はＩＤＲＴ（Ｉｎｎｅｒ  Ｄｒｉｖｅ  Ｔｅｓｔ  Ｚｏｎｅ）領域であり、前記上書き不可情報および前記上書き可能情報は、前記ＩＤＲＴ領域のＯＰＣ（Ｏｐｔｉｍｕｍ  Ｐｏｗｅｒ  Ｃａｌｉｂｒａｔｉｏｎ）実行エリアに記録し、前記上書き不可情報は０以外の値であり、前記上書き可能情報は０であることを特徴とする、記録装置。
【請求項２】
前記記録媒体は、ＤＶＤ＋ＲＷまたはブルーレイディスクであることを特徴とする、請求項１に記載の記録装置。
【請求項３】
光学的手段によって書き換え可能であり、所定の領域に上書き可能であるかどうかを判断するための情報が記録されている記録媒体に記録された情報を光学的手段によって再生する再生装置であって：
前記記録媒体に記録された情報を再生する再生部を含み、
前記再生部は、前記記録媒体の所定の領域に記録された情報を読み取って、前記記録媒体が上書き可能かどうかを判断し、前記所定の領域はＩＤＲＴ（Ｉｎｎｅｒ  Ｄｒｉｖｅ  Ｔｅｓｔ  Ｚｏｎｅ）領域であり、前記上書き可能であるかどうかを判断するための情報は、前記ＩＤＲＴ領域のＯＰＣ（Ｏｐｔｉｍｕｍ  Ｐｏｗｅｒ  Ｃａｌｉｂｒａｔｉｏｎ）実行エリアに記録されたものであり、
前記再生部は、前記所定の領域が０で記録されていれば前記記録媒体は上書き可能であると判断し、前記所定の領域が０以外の値で記録されていれば前記記録媒体は上書き不可能であると判断することを特徴とする、再生装置。
【請求項４】
前記記録媒体は、ＤＶＤ＋ＲＷまたはブルーレイディスクであることを特徴とする、請求項３に記載の再生装置。
【請求項５】
光学的手段によって書き換え可能な記録媒体に情報を記録し、記録された情報を光学的手段によって再生する記録再生装置であって：
前記記録媒体への記録開始前に、前記記録媒体に上書き不可能であることを示す上書き不可情報を所定の領域に記録する情報記録部と；
前記記録媒体への記録が成功したかどうかを判断する記録判断部と；
前記記録媒体に記録された情報を再生する再生部と；
を含み、
前記情報記録部は、前記記録判断部で前記記録媒体の記録が成功したと判断した場合に、前記所定の領域を上書き可能であることを示す上書き可能情報で埋めて記録し、前記所定の領域はＩＤＲＴ（Ｉｎｎｅｒ  Ｄｒｉｖｅ  Ｔｅｓｔ  Ｚｏｎｅ）領域であり、前記上書き不可情報および前記上書き可能情報は、前記ＩＤＲＴ領域のＯＰＣ（Ｏｐｔｉｍｕｍ  Ｐｏｗｅｒ  Ｃａｌｉｂｒａｔｉｏｎ）実行エリアに記録し、前記上書き不可情報は０以外の値であり、前記上書き可能情報は０であり、
前記再生部は、前記所定の領域を読み取って前記記録媒体が上書き可能かどうかを判断することを特徴とする、記録再生装置。
【請求項６】
前記再生部は、前記所定の領域が０で記録されていれば前記記録媒体は上書き可能であると判断し、前記所定の領域が０以外の値で記録されていれば前記記録媒体は上書き不可能であると判断することを特徴とする、請求項５に記載の記録再生装置。
【請求項７】
前記記録媒体は、ＤＶＤ＋ＲＷまたはブルーレイディスクであることを特徴とする、請求項５に記載の記録再生装置。
【請求項８】
光学的手段によって書き換え可能な記録媒体に情報を記録する記録方法であって：
前記記録媒体への記録開始前に、前記記録媒体に上書き不可能であることを示す上書き不可情報を所定の領域に記録する第１の情報記録ステップと；
前記記録媒体への記録が成功したかどうかを判断する記録判断ステップと；
前記記録判断ステップで前記記録媒体の記録が成功したと判断した場合に、前記所定の領域を上書き可能であることを示す上書き可能情報で埋めて記録する第２の情報記録ステップと；
を含み、
前記所定の領域はＩＤＲＴ（Ｉｎｎｅｒ  Ｄｒｉｖｅ  Ｔｅｓｔ  Ｚｏｎｅ）領域であり、前記上書き不可情報および前記上書き可能情報は、前記ＩＤＲＴ領域のＯＰＣ（Ｏｐｔｉｍｕｍ  Ｐｏｗｅｒ  Ｃａｌｉｂｒａｔｉｏｎ）実行エリアに記録し、前記上書き不可情報は０以外の値であり、前記上書き可能情報は０であることを特徴とする、記録方法。
【請求項９】
光学的手段によって書き換え可能であり、所定の領域に上書き可能であるかどうかを判断するための情報が記録されている記録媒体に記録された情報を光学的手段によって再生する再生方法であって：
前記記録媒体に記録された情報を再生する再生ステップを含み、
前記再生ステップは、前記記録媒体の所定の領域に記録された情報を読み取って、前記記録媒体が上書き可能かどうかを判断し、前記所定の領域はＩＤＲＴ（Ｉｎｎｅｒ  Ｄｒｉｖｅ  Ｔｅｓｔ  Ｚｏｎｅ）領域であり、前記上書き可能であるかどうかを判断するための情報は、前記ＩＤＲＴ領域のＯＰＣ（Ｏｐｔｉｍｕｍ  Ｐｏｗｅｒ  Ｃａｌｉｂｒａｔｉｏｎ）実行エリアに記録されたものであり、
前記再生ステップは、前記所定の領域が０で記録されていれば前記記録媒体は上書き可能であると判断し、前記所定の領域が０以外の値で記録されていれば前記記録媒体は上書き不可能であると判断することを特徴とする、再生方法。
【発明の詳細な説明】
【技術分野】
【０００１】
本発明は、記録装置、再生装置、記録再生装置、記録方法および再生方法に関し、より詳細には、光学的手段によって書き換え可能な記録媒体に対する記録装置、再生装置、記録再生装置、記録方法および再生方法に関する。
【背景技術】
【０００２】
光ディスクのように、レーザ光などの光学的手段によってデータの書き換え可能な記録媒体においては、ディスクレコーダ等の記録装置においてデータの追記や上書きがなされると、記録媒体の所定の領域に記録される物理管理情報が更新される。物理管理情報には、記録末端位置情報や記録状態情報等を保持しており、次に当該記録媒体が記録装置に挿入されると、この物理管理情報を基にデータの追記や上書きが行われる。
【０００３】
しかし、物理管理情報の更新の際に、停電等でディスクレコーダが停止するなど、何らかの不慮の不具合により物理管理情報が更新できなかった場合には、次に当該記録媒体が記録装置に挿入されると、以前に記録したデータが破壊されてしまうおそれがある。
【０００４】
このような問題を解決する技術として、特許文献１や特許文献２がある。特許文献１では、一定の長さのデータのディスクへの記録が終了する毎に物理管理情報を更新している。また特許文献２では、ディスクの排出前に何らかの不慮の不具合によりディスクに書き込めない状態に陥っている場合に、再びディスクレコーダのスピンドルを回転させて、トラッキングサーボおよびフォーカスサーボをやり直してディスクに記録できる状態への復帰を試みている。
【０００５】
【特許文献１】特開２００５−３８５７０号公報
【特許文献２】特開２００５−２８５１５９号公報
【発明の開示】
【発明が解決しようとする課題】
【０００６】
しかし、特許文献１に記載の方法では、ビデオカメラ等のリアルタイム性が高く要求されるディスクレコーダにおいては記録処理に多大な負荷がかかり、リアルタイムな記録を行うことが困難である。また特許文献２に記載の方法では、サーボのやり直しによっても記録に失敗する可能性があり、サーボの再起動を試み続けることでいつまで経ってもディスクを排出できない問題がある。
【０００７】
そこで、本発明は、上記問題に鑑みてなされたものであり、本発明の目的とするところは、記録媒体の所定の領域を物理管理情報の記録開始前と記録終了後に更新することで、物理管理情報の正常な更新を判別することが可能な、新規かつ改良された記録装置、再生装置、記録再生装置、記録方法および再生方法を提供することにある。
【課題を解決するための手段】
【０００８】
上記課題を解決するために、本発明のある観点によれば、光学的手段によって書き換え可能な記録媒体に情報を記録する記録装置であって、記録媒体への記録開始前に、記録媒体に上書き不可能であることを示す上書き不可情報を所定の領域に記録する情報記録部と、記録媒体への記録が成功したかどうかを判断する記録判断部と、を含み、情報記録部は、記録判断部で記録媒体の記録が成功したと判断した場合に、所定の領域を上書き可能であることを示す上書き可能情報で埋めて記録することを特徴とする、記録装置が提供される。
【０００９】
かかる構成によれば、情報記録部は記録媒体への記録開始前に、記録媒体に上書き不可能であることを示す上書き不可情報を所定の領域に記録し、記録判断部は記録媒体への記録が成功したかどうかを判断する。そして情報記録部は、記録判断部で記録媒体の記録が成功したと判断した場合に、所定の領域を上書き可能であることを示す上書き可能情報で埋めて記録する。その結果、記録媒体の所定の領域を物理管理情報の記録開始前と記録終了後に更新することで、物理管理情報の正常な更新を判別することが可能となる。
【００１０】
所定の領域はＩＤＲＴ（Ｉｎｎｅｒ  Ｄｒｉｖｅ  Ｔｅｓｔ  Ｚｏｎｅ）領域であり、上書き不可情報および上書き可能情報は、ＩＤＲＴ領域のＯＰＣ（Ｏｐｔｉｎｕｍ  Ｐｏｗｅｒ  Ｃａｌｉｂｒａｔｉｏｎ）実行エリアに記録してもよい。その結果、物理管理情報の更新の前にＩＤＲＴ領域のＯＰＣ実行エリアに上書き不可情報を書き込み、物理管理情報の更新の後にＩＤＲＴ領域のＯＰＣ実行エリアに上書き可能情報を書き込むことによって、記録媒体に物理管理情報が正常に更新されたかどうかを判別することができる。
【００１１】
上書き不可情報は０以外の値であり、上書き可能情報は０であってもよい。かかる構成によれば、情報記録部は記録媒体への記録開始前に、記録媒体に対して０以外の値を所定の領域に記録し、記録判断部で記録媒体の記録が成功したと判断した場合に、所定の領域を０で埋めて記録する。その結果、所定の領域が０で埋めて記録されているかどうかによって、記録媒体に物理管理情報が正常に更新されたかどうかを判別することができる。
【００１２】
上記記録媒体は、ＤＶＤ＋ＲＷまたはブルーレイディスクであってもよい。ＤＶＤ＋ＲＷまたはブルーレイディスクの所定の領域に上書き不可情報および上書き可能情報を書き込むことによって、当該メディアに物理管理情報が正常に更新されたかどうかを判別することができる。
【００１３】
また、上記課題を解決するために、本発明の別の観点によれば、光学的手段によって書き換え可能であり、所定の領域に上書き可能であるかどうかを判断するための情報が記録されている記録媒体に記録された情報を光学的手段によって読み取って再生する再生装置であって、記録媒体に記録された情報を再生する再生部を含み、再生部は、記録媒体の所定の領域に記録された情報を読み取って、記録媒体が上書き可能かどうかを判断することを特徴とする、再生装置が提供される。
【００１４】
かかる構成によれば、再生部は記録媒体に記録された情報を再生し、記録媒体の所定の領域に記録された情報を読み取って、記録媒体が上書き可能かどうかを判断する。その結果、記録媒体の所定の領域に記録されている情報を読み取ることで、当該記録媒体が、物理管理情報が正常に更新された記録媒体であるかどうかを判別することが可能となる。
【００１５】
再生部は、所定の領域が０で記録されていれば記録媒体は上書き可能であると判断し、所定の領域が０以外の値で記録されていれば記録媒体は上書き不可能であると判断してもよい。
【００１６】
上記記録媒体は、ＤＶＤ＋ＲＷまたはブルーレイディスクであってもよい。ＤＶＤ＋ＲＷまたはブルーレイディスクの所定の領域に上書き不可情報および上書き可能情報を書き込むことによって、当該メディアに物理管理情報が正常に更新されたかどうかを判別することができる。
【００１７】
また、上記課題を解決するために、本発明の別の観点によれば、光学的手段によって書き換え可能な記録媒体に情報を記録し、記録された情報を光学的手段によって読み取って再生する記録再生装置であって、記録媒体への記録開始前に、記録媒体に上書き不可能であることを示す上書き不可情報を所定の領域に記録する情報記録部と、記録媒体への記録が成功したかどうかを判断する記録判断部と、記録媒体に記録された情報を再生する再生部と、を含み、情報記録部は、記録判断部で記録媒体の記録が成功したと判断した場合に、所定の領域を上書き可能であることを示す上書き可能情報で埋めて記録し、再生部は、所定の領域を読み取って記録媒体が上書き可能かどうかを判断することを特徴とする、記録再生装置が提供される。
【００１８】
かかる構成によれば、情報記録部は記録媒体への記録開始前に、記録媒体に上書き不可能であることを示す上書き不可情報を所定の領域に記録し、記録判断部は記録媒体への記録が成功したかどうかを判断する。そして情報記録部は、記録判断部で記録媒体の記録が成功したと判断した場合に、所定の領域を上書き可能であることを示す上書き可能情報で埋めて記録する。また、再生部は所定の領域を読み取って記録媒体が上書き可能かどうかを判断する。その結果、記録媒体の所定の領域を物理管理情報の記録開始前と記録終了後に更新することで、当該記録媒体の物理管理情報の正常な更新を判別することができ、また、記録媒体の所定の領域に記録されている情報を読み取ることで、当該記録媒体が、物理管理情報が正常に更新された記録媒体であるかどうかを判別することが可能となる。
【００１９】
再生部は、所定の領域が０で記録されていれば記録媒体は上書き可能であると判断し、所定の領域が０以外の値で記録されていれば記録媒体は上書き不可能であると判断してもよい。
【００２０】
所定の領域はＩＤＲＴ（Ｉｎｎｅｒ  Ｄｒｉｖｅ  Ｔｅｓｔ  Ｚｏｎｅ）領域であり、上書き不可情報および上書き可能情報は、ＩＤＲＴ領域のＯＰＣ（Ｏｐｔｉｎｕｍ  Ｐｏｗｅｒ  Ｃａｌｉｂｒａｔｉｏｎ）実行エリアに記録してもよい。その結果、物理管理情報の更新の前にＩＤＲＴ領域のＯＰＣ実行エリアに上書き不可情報を書き込み、物理管理情報の更新の後にＩＤＲＴ領域のＯＰＣ実行エリアに上書き可能情報を書き込むことによって、記録媒体に物理管理情報が正常に更新されたかどうかを判別することができる。
【００２１】
上書き不可情報は０以外の値であり、上書き可能情報は０であってもよい。かかる構成によれば、情報記録部は記録媒体への記録開始前に、記録媒体に対して０以外の値を所定の領域に記録し、記録判断部で記録媒体の記録が成功したと判断した場合に、所定の領域を０で埋めて記録する。その結果、所定の領域が０で埋めて記録されているかどうかによって、記録媒体に物理管理情報が正常に更新されたかどうかを判別することができる。
【００２２】
上記記録媒体は、ＤＶＤ＋ＲＷまたはブルーレイディスクであってもよい。ＤＶＤ＋ＲＷまたはブルーレイディスクの所定の領域に上書き不可情報および上書き可能情報を書き込むことによって、当該メディアに物理管理情報が正常に更新されたかどうかを判別することができる。
【００２３】
また、上記課題を解決するために、本発明の別の観点によれば、光学的手段によって書き換え可能な記録媒体に情報を記録する記録方法であって、記録媒体への記録開始前に、記録媒体に上書き不可能であることを示す上書き不可情報を所定の領域に記録する第１の情報記録ステップと、記録媒体への記録が成功したかどうかを判断する記録判断ステップと、記録判断ステップで記録媒体の記録が成功したと判断した場合に、所定の領域を上書き可能であることを示す上書き可能情報で埋めて記録する第２の情報記録ステップと、を含むことを特徴とする、記録方法が提供される。
【００２４】
かかる構成によれば、第１の情報記録ステップは記録媒体への記録開始前に、記録媒体に上書き不可能であることを示す上書き不可情報を所定の領域に記録し、記録判断ステップは記録媒体への記録が成功したかどうかを判断し、第２の情報記録ステップは、記録判断ステップで記録媒体の記録が成功したと判断した場合に、所定の領域を上書き可能であることを示す上書き可能情報で埋めて記録する。その結果、記録媒体の所定の領域を物理管理情報の記録開始前と記録終了後に更新することで、当該記録媒体の物理管理情報の正常な更新を判別することができる。
【００２５】
また、上記課題を解決するために、本発明の別の観点によれば、光学的手段によって書き換え可能であり、所定の領域に上書き可能であるかどうかを判断するための情報が記録されている記録媒体に記録された情報を光学的手段によって再生する再生方法であって、記録媒体に記録された情報を再生する再生ステップを含み、再生ステップは、記録媒体の所定の領域に記録された情報を読み取って、記録媒体が上書き可能かどうかを判断することを特徴とする、再生方法が提供される。
【００２６】
かかる構成によれば、再生ステップは記録媒体に記録された情報を再生する。また再生ステップは、記録媒体の所定の領域に記録された情報を読み取って、記録媒体が上書き可能かどうかを判断する。その結果、記録媒体の所定の領域に記録されている情報を読み取ることで、当該記録媒体が、物理管理情報が正常に更新された記録媒体であるかどうかを判別することが可能となる。
【発明の効果】
【００２７】
以上説明したように本発明によれば、記録媒体の所定の領域を物理管理情報の記録開始前と記録終了後に更新することで、物理管理情報の正常な更新を判別することが可能な、新規かつ改良された記録装置、再生装置、記録再生装置、記録方法および再生方法を提供することができる。
【発明を実施するための最良の形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
まず、本発明の一実施形態にかかるディスクカムコーダ１について説明する。図１は、本発明の一実施形態にかかるディスクカムコーダ１の構成について説明する説明図である。以下、図１を用いてディスクカムコーダ１の構成について説明する。
【００３０】
ディスクカムコーダ１は、本発明の記録媒体の一例である光ディスクに情報を記録するものであり、特に光ディスクにリアルタイムで動画を記録するものである。図１に示したように、本発明の一実施形態にかかるディスクカムコーダ１は、制御部２と、カメラ部３と、記録再生処理部４と、を含んで構成される。
【００３１】
制御部２は、ディスクカムコーダ１の記録動作や再生動作を制御するものである。制御部２は、ＣＰＵ（Ｃｅｎｔｒａｌ  Ｐｒｏｃｅｓｓｉｎｇ  Ｕｎｉｔ）２１と、ＲＯＭ２３と、ＲＡＭ２４と、操作入力Ｉ／Ｆ２５と、表示制御部２６と、メモリカードＩ／Ｆ２７と、角速度検出器２８と、時計回路２９と、を含んで構成される。制御部２の各部およびカメラ部３と記録再生処理部４の各部はバス２２によって相互に接続されている。
【００３２】
ＣＰＵ２１は、制御部２の各部を制御すると共に、バス２２を介して接続されたカメラ部３と記録再生処理部４とを所定の制御信号で制御することにより、ディスクカムコーダ１全体を統括制御する。ＣＰＵ２１は、ＲＯＭ２３またはＲＡＭ２４に予め格納された各種基本プログラムや起動プログラム等に基づいて、各種処理や後述する光ディスク挿入時の記録準備処理を実行する。
【００３３】
操作入力Ｉ／Ｆ２５は、操作入力部５１と接続され、操作入力部５１からのユーザの操作入力を伝達するものである。表示制御部２６は、表示部５２と接続され、表示部５２に対する表示動作を制御する。メモリカードＩ／Ｆ２７は、メモリカード５３と接続され、メモリカード５３に対する記録・再生動作を制御する。
【００３４】
ＣＰＵ２１は、ディスクカムコーダ１の、図１に図示しないディスク挿入部に光ディスク５０が挿入された状態で、ユーザの操作入力部５１の操作に応じて制御信号を送出するものである。例えば、ディスクカムコーダ１を使用するユーザから撮像処理の開始や再生処理の開始などの操作入力信号が操作入力Ｉ／Ｆ２５を介して供給されると、当該操作入力信号に応じて制御信号を生成し、制御部２、カメラ部３及び記録再生処理部４の各部へ送出する。
【００３５】
角速度検出器２８は、ディスクカムコーダ１に対して外部から加わる角速度を表す角速度情報を生成するものである。角速度検出器２８として例えばジャイロスコープを用いてもよい。ディスクカムコーダ１に角速度検出器２８を備えることで、ディスクカムコーダ１を安定化させて、ユーザによる手振れを補正することができる。時計回路２９は、年月日や時分秒などを表す時間情報を生成するものである。
【００３６】
カメラ部３は、被写体を撮影して、撮影して得られた情報を電気信号に変換するものである。カメラ部３は、カメラ制御部３３と、光学ブロック３４と、信号変換器３５と、撮像信号処理部３６と、音声入力部３７と、音声信号処理部３８と、を含んで構成される。
【００３７】
カメラ制御部３３は、光学ブロック３４の動作を制御するためのものである。光学ブロック３４は、図１には図示しないが、内部に被写体を撮像するためのレンズ群、絞り調整機構、フォーカス調整機構、ズーム機構、シャッター機構、フラッシュ機構及び手ぶれ補正機構等を有する。
【００３８】
信号変換器３５は、光学ブロック３４で取得した被写体の撮像光を電気信号に変換するものである。信号変換器３５として、ＣＣＤ（Ｃｈａｒｇｅ  Ｃｏｕｐｌｅｄ  ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを用いてもよい。
【００３９】
撮像信号処理部３６は、信号変換器３５から供給された電気信号（撮像信号）に対して、ガンマ補正処理やＡＧＣ（Ａｕｔｏ  Ｇａｉｎ  Ｃｏｎｔｒｏｌ）処理およびアナログデジタル変換処理を施して、撮像画像信号を生成するものである。
【００４０】
音声入力部３７は、ディスクカムコーダ１で撮像動作を行っているときの、ディスクカムコーダ１の周辺の音声を集音し、音声信号として音声信号処理部３８に供給するものである。音声信号処理部３８は、制御部２からの制御信号に基づいて、音声信号に対して各種補正処理、ＡＧＣ処理及びアナログデジタル変換処理を施してデジタル音声信号を生成するものである。
【００４１】
記録再生処理部４は、ディスクカムコーダ１に挿入される光ディスク５０へのデータの記録および再生処理を行うものである。記録再生処理部４は、記録再生制御部４１と、サーボ回路４２と、スピンドルモータ４３と、スレッドモータ４４と、光ピックアップ４５と、信号処理部４６と、バッファメモリ４７と、符号化／復号回路４８と、を含んで構成される。
【００４２】
記録再生制御部４１は、記録再生処理部４の各部にコマンド信号を送出することで記録再生処理部４の各部を制御し、光ディスク５０への記録処理および光ディスク５０の再生処理を実行する。記録再生制御部４１は、ＣＰＵ２１から供給される制御信号に応じて、記録再生処理部４の各部にコマンド信号を送出する。
【００４３】
符号化／復号回路４８は、カメラ部３から撮像画像信号やデジタル音声信号が供給されると、当該撮像画像信号及びデジタル音声信号を符号化することによりＥＦＭ＋（Ｅｉｇｈｔ  ｔｏ  Ｆｏｕｒｔｅｅｎ  Ｍｏｄｕｌａｔｉｏｎ  Ｐｌｕｓ）信号を生成する。生成したＥＦＭ＋信号は記録再生制御部４１に送出する。記録再生制御部４１は、符号化／復号回路４８から送られたＥＦＭ＋信号をバッファメモリ４７に一時記憶しながら、光ピックアップ４５を制御して、光ディスク５０への記録処理を実行する。
【００４４】
サーボ回路４２は、記録再生制御部４１から送出されたコマンド信号に応じてスピンドルモータ４３およびスレッドモータ４４を回転させるものである。スピンドルモータ４３はターンテーブル（図示せず）を回転させて、ターンテーブルに載置された光ディスク５０を回転駆動する。スレッドモータ４４は、アクチュエータ（図示せず）を動作させるものであり、スレッドモータ４４の回転により光ピックアップ４５を移動させるものである。
【００４５】
光ピックアップ４５は、本発明の情報記録部の一例であり、光ディスク５０の記録層にレーザ光を照射すると共に、当該光ディスク５０の記録層で反射された反射レーザ光を光電変換して反射光量に応じた光電信号を生成するものである。光ピックアップ４５で生成した光電信号は、信号処理部４６へ送出する。
【００４６】
信号処理部４６は、光ピックアップ４５から供給される光電信号に応じて光ピックアップ４５を制御するためのトラッキングエラー信号及びフォーカスエラー信号を生成するものである。生成したトラッキングエラー信号及びフォーカスエラー信号は、記録再生制御部４１へ送出する。
【００４７】
バッファメモリ４７は、符号化／復号回路４８から送られたＥＦＭ＋信号を一時的に記憶するものである。記録再生制御部４１は、バッファメモリ４７に記憶されたＥＦＭ＋信号を読み出して光ピックアップ４５を制御する。
【００４８】
記録再生制御部４１は、サーボ回路４２を介して光ピックアップ４５を制御し、トラッキングエラー信号に応じてスレッドモータ４４を駆動させ、光ピックアップ４５をトラッキング方向に移動させる。これに加えて記録再生制御部４１は、かかるトラッキングエラー信号及びフォーカスエラー信号に応じて当該光ピックアップ４５の対物レンズ駆動装置（図示せず）をトラッキング方向、フォーカス方向及びチルト方向に駆動して対物レンズを最適な位置に移動させる。
【００４９】
光ディスク５０に記録された情報を再生する場合には、本発明の再生部の一例でもある光ピックアップ４５からレーザ光を光ディスク５０の記録層に照射し、反射された反射レーザ光を光電変換する。そして、反射光量に応じた光電信号に基づいて、信号処理部４６で再生信号を生成する。信号処理部４６で生成した再生信号は符号化／復号回路４８に送られ、符号化／復号回路４８は当該再生信号を画像信号（再生画像信号）に復号する。こうして復号された再生画像信号はＣＰＵ２１に送られる。
【００５０】
ＣＰＵ２１は、撮像画像信号や再生画像信号がカメラ部３や記録再生処理部４からそれぞれ供給されると、当該撮像画像信号及び当該再生画像信号に基づく撮像画像及び再生画像を、表示制御部２６を介して表示部５２に表示する。
【００５１】
また、ＣＰＵ２１は、メモリカードＩ／Ｆ２７を介して記録再生処理部４から供給される撮像データ（撮像画像信号およびデジタル音声信号を含むデータ）をメモリカード５３に記録する一方、メモリカードＩ／Ｆ２７を介してメモリカード５３に記録された撮像データを再生し、記録再生処理部４へ供給する。
【００５２】
以上、本発明の一実施形態にかかるディスクカムコーダ１の構成について説明した。次に、本発明の一実施形態にかかるディスクカムコーダ１を用いた光ディスクへの記録方法について説明する。
【００５３】
まず、ディスクカムコーダ１に光ディスクが挿入された場合のディスクカムコーダ１の動作について説明する。図２は、ディスクカムコーダ１に光ディスクが挿入された場合のディスクカムコーダ１の動作について説明する流れ図である。図２の（ａ）は、本発明の一実施形態にかかるディスクカムコーダ１に光ディスクが挿入された場合の動作の流れについて説明する流れ図である。また、以下の説明においては光ディスクがＤＶＤ＋ＲＷの場合について説明する。
【００５４】
ＣＰＵ２１は、ディスクカムコーダ１に光ディスク５０が挿入されると（ステップＳ１）、光ピックアップ４５に対してフォーカスサーチを指示する。そしてＣＰＵ２１は、光ピックアップ４５および信号処理部４６を通じて得られる光ディスク５０からの反射光量、Ｗｏｂｂｌｅ信号の有無、およびメディアに記録されているＰＦＩ（Ｐｈｙｓｉｃａｌ  Ｆｏｒｍａｔ  Ｉｎｆｏｒｍａｔｉｏｎ）情報に含まれる識別情報によってディスクの種類を判別する（ステップＳ２）。
【００５５】
ディスクの種類を判別すると、サーボ回路４２を制御して、ディスクの傾き、フォーカスサーボ、トラッキングサーボのオフセット、ゲインなどのディスク毎のサーボ調整を行う（ステップＳ３）。サーボ調整を行うと、フォーカスサーボおよびトラッキングサーボをオンにして、ディスク管理情報領域からＤＣＢ（Ｄｉｓｃ  Ｃｏｎｔｒｏｌ  Ｂｌｏｃｋｓ）情報等のディスク情報等を読み取る（ステップＳ４）。
【００５６】
続いて、取得したＰＦＩ情報やＤＣＢ情報等の物理管理情報を利用して、光ディスク５０内のユーザデータ領域の記録終了位置の情報であるＬＷＡ（Ｌａｓｔ  Ｗｒｉｔｔｅｎ  Ａｄｄｒｅｓｓ）情報を確定する（ステップＳ５）。ＬＷＡ情報が確定すると。ＣＰＵ２１は、ＯＰＣ（Ｏｐｔｉｍｕｍ  Ｐｏｗｅｒ  Ｃａｌｉｂｒａｔｉｏｎ）のために使用できる試し書き領域（ＩＤＲＴ：Ｉｎｎｅｒ  Ｄｒｉｖｅ  Ｔｅｓｔ  Ｚｏｎｅ）をチェックして、その場所で光ピックアップ４５を待機させる（ステップＳ６）。
【００５７】
図２の（ｂ）は、上記ステップＳ２におけるディスク判別処理について説明する流れ図である。ディスクを判別する際には、光ディスク５０からの反射光量の大小によってＲ／ＲＷの種別の判別を、Ｗｏｂｂｌｅ信号の有無によって、ＤＶＤの＋／−の種別を判別する（ステップＳ７）。そして、光ディスク５０に記録されているＰＦＩ情報を取得し、ＰＦＩ情報に含まれるディスク識別情報を読み出すことで、判別結果を確認する（ステップＳ８）。
【００５８】
以上、図２を用いて、ディスクカムコーダ１に光ディスク５０が挿入された場合の動作について説明した。続いて、上記ステップＳ１８におけるＰＦＩ情報取得処理について説明する。
【００５９】
図３は、本発明の一実施形態にかかるディスクカムコーダ１を用いたＰＦＩ情報取得処理について説明する流れ図である。以下、図３を用いて本発明の一実施形態にかかるディスクカムコーダ１を用いたＰＦＩ情報取得処理について説明する。
【００６０】
まず、光ディスク５０のＣＤＺ（Ｃｏｎｔｒｏｌ  Ｄａｔａ  Ｚｏｎｅ）からＰＦＩ情報の読み取りを試みる（ステップＳ９）。読み取りが成功した場合には直ちにＰＦＩ情報取得処理は終了となる（ステップＳ１０）。しかし、読み取りに失敗した場合にはその原因によって後続の処理を分ける（ステップＳ１１）。
【００６１】
読み取りに失敗した原因が、ＲＦ（Ｒａｄｉｏ  Ｆｒｅｑｕｅｎｃｙ）が無いためである場合、つまりＲＦが光ディスク５０に記録されていない場合には、光ディスク５０のＡＤＩＰ（Ａｄｄｒｅｓｓ  Ｉｎ  ＰｒｅＧｒｏｏｖｅ）から読み取りを試みる（ステップＳ１２）。一方、ＲＦが無い場合以外の原因で読み取りが失敗した場合には、エラーとしてＰＦＩ情報取得処理を終了する。また、上記ステップＳ１２において、ＡＤＩＰからの読み取りに失敗した場合にはエラーしてＰＦＩ情報取得処理を終了する（ステップＳ１３）。
【００６２】
以上、本発明の一実施形態にかかるディスクカムコーダ１を用いたＰＦＩ情報取得処理について説明した。次に、ＤＶＤ＋ＲＷの管理データ構造について説明する。
【００６３】
図４は、ＤＶＤ＋ＲＷの管理データ構造について説明する説明図である。以下、図４を用いてＤＶＤ＋ＲＷの管理データ構造について説明する。なお、図４においては、図面の左側が内周側を、右側が外周側を示している。
【００６４】
主領域（Ｍａｉｎ  Ａｒｅａ）は、内周側からＬｅａｄ−ｉｎ  Ｚｏｎｅ、Ｄａｔａ  Ｚｏｎｅ、Ｌｅａｄ−ｏｕｔ  Ｚｏｎｅで構成されている。Ｄａｔａ  ＺｏｎｅおよびＬｅａｄ−ｏｕｔ  Ｚｏｎｅに相当するＡＤＩＰには、ＰＦＩ情報が記録されておらず全て０で記録されている。
【００６５】
Ｌｅａｄ−ｉｎ  ＺｏｎｅやＬｅａｄ−ｏｕｔ  Ｚｏｎｅは、図４に示したように多くの領域から構成される。その中で、記録状態を示すデータはＩｎｎｅｒ  Ｄｉｓｃ  Ｉｄｅｎｔｉｆｉｃａｔｉｏｎ  ＺｏｎｅおよびＯｕｔｅｒ  Ｄｉｓｃ  Ｉｄｅｎｔｉｆｉｃａｔｉｏｎ  Ｚｏｎｅと、ＣＤ  Ｚｏｎｅ（ＰＦＩ）のみである。ＣＤ  Ｚｏｎｅには、データが未記録であるバージンメディアの場合にはデータが記録されておらず、フォーマット処理が行われるとＡＤＩＰから取得したＰＦＩ情報がコピーされて格納される。
【００６６】
Ｉｎｎｅｒ  Ｄｉｓｃ  Ｉｄｅｎｔｉｆｉｃａｔｉｏｎ  ＺｏｎｅおよびＯｕｔｅｒ  Ｄｉｓｃ  Ｉｄｅｎｔｉｆｉｃａｔｉｏｎ  Ｚｏｎｅには、光ディスクがＤＶＤ＋ＲＷの場合にはＦＤＣＢ（Ｆｏｒｍａｔｔｉｎｇ  Ｄｉｓｃ  Ｃｏｎｔｒｏｌ  Ｂｌｏｃｋｓ）情報やＷＤＣＢ（Ｗｒｉｔｅ  ｉｎｈｉｂｉｔ  Ｄｉｓｃ  Ｃｏｎｔｒｏｌ  Ｂｌｏｃｋｓ）情報が記録される。
【００６７】
ＦＤＣＢ情報やＷＤＣＢ情報には、それぞれ光ディスクの記録状態が保持される。これらの情報の中に、ＬＷＡ（Ｌａｓｔ  Ｗｒｉｔｔｅｎ  Ａｄｄｒｅｓｓ）とＦｏｒｍａｔｔｉｎｇ  Ｂｉｔｍａｐ、およびＣＤ  Ｚｏｎｅに記録されるＤａｔａ  Ｚｏｎｅ  Ａｌｌｏｃａｔｉｏｎにより、光ディスクの記録状態が決まる。また、レーザ出力の最適化を行うＯＰＣ（Ｏｐｔｉｍｕｍ  Ｐｏｗｅｒ  Ｃａｌｉｂｒａｔｉｏｎ）を実行する領域であるＩｎｎｅｒ  Ｄｒｉｖｅ  Ｔｅｓｔ  Ｚｏｎｅ（ＩＤＲＴ）は、最終的にはゼロパディングしておく必要がある。
【００６８】
そこで本実施形態では、ＯＰＣを実行した後にＩＤＲＴ領域に０（１６進数表記で０ｘ００）以外のデータを記録し、データの記録が完了した後にＩＤＲＴ領域をセロパディングすることで、光ディスク５０の記録状態を判断できるようにしたことを特徴とする。以下、本発明の一実施形態にかかる記録方法および再生方法について詳細に説明する。
【００６９】
図５は、本発明の一実施形態にかかる、光ディスクへの記録方法について説明する流れ図である。以下、図５を用いて本発明の一実施形態にかかる光ディスクへの記録方法について説明する。
【００７０】
まず、光ディスク５０に対して記録要求が行われると、ＣＰＵ２１は記録再生制御部４１に対してＯＰＣの実行を要求する。ＯＰＣの実行要求を受けた記録再生制御部４１はＯＰＣを実行して、レーザ光の出力の最適化を行う（ステップＳ１０２）。
【００７１】
ＯＰＣを実行すると、ＣＰＵ２１は記録再生制御部４１に対して、光ディスク５０のＩＤＲＴ領域のＯＰＣで使用された箇所に、０以外のデータを記録するように指示する（ステップＳ１０４）。ＩＤＲＴ領域は１２８ＥＣＣ（Ｅｒｒｏｒ  Ｃｏｒｒｅｃｔｉｎｇ  Ｃｏｄｅ、誤り訂正符号）ブロックの長さを有し、ＯＰＣを実行する際には、その内の１ＥＣＣブロックがランダムに選択される。本実施形態では、そのランダムに選択された領域に対して、ステップＳ１０４において０以外のデータ（例えば０ｘ０１）を記録する。
【００７２】
ＩＤＲＴ領域のＯＰＣで使用された箇所に０以外のデータを記録すると、続いてＣＰＵ２１は記録再生制御部４１に対して、光ディスク５０のユーザデータ領域（Ｄａｔａ  Ｚｏｎｅ）にデータの記録を行うように指示する（ステップＳ１０６）。そして、光ディスク５０のユーザデータ領域へのデータの記録が完了すると、ＣＰＵ２１は光ディスク５０の物理管理情報の更新を行い（ステップＳ１０８）。物理管理情報が正常に更新されたかどうかを判断する（ステップＳ１１０）。物理管理情報が正常に更新されたかどうかは、光ディスク５０に反射したレーザ光を信号処理部４６が読み取り、記録したデータと読み取ったデータとが一致するか否かによって判断する。
【００７３】
物理管理情報が正常に更新された場合には、ＣＰＵ２１は記録再生制御部４１に対して、上記ステップＳ１０４において０以外のデータを記録した、ＩＤＲＴ領域のＯＰＣで使用された箇所に対してゼロパディング（０ｘ００で記録する）を行うように指示し（ステップＳ１１２）、記録処理を終了する。しかし、物理管理情報が正常に更新されなかった場合には、ゼロパディングを行わずにそのまま記録処理を終了する。
【００７４】
従って、物理管理情報が正常に更新された光ディスク５０は、ＩＤＲＴ領域のＯＰＣで使用された箇所に対してゼロパディングが行われている。しかし、物理管理情報が正常に更新されなかった光ディスク５０は、ＩＤＲＴ領域のＯＰＣで使用された箇所に対してゼロパディングが行われていない状態となっている。従って、このように記録された光ディスクを再生する場合には、ＩＤＲＴ領域の記録状態を確認することで、物理管理情報が正常に更新されたメディアか否かを判断することが可能となる。
【００７５】
以上、本発明の一実施形態にかかる、光ディスクへの記録方法について説明した。次に、本発明の一実施形態にかかる記録方法で記録された光ディスクの再生方法について説明する。
【００７６】
図６は、本発明の一実施形態にかかる記録方法で記録された光ディスクの再生方法について説明する流れ図である。以下、図６を用いて、本発明の一実施形態にかかる記録方法で記録された光ディスクの再生方法について説明する。
【００７７】
まず光ディスク５０がディスクカムコーダ１に挿入されると、ＣＰＵ２１は記録再生制御部４１に対して、光ディスク５０のＩＤＲＴ領域の全領域の読み込みを指示する（ステップＳ１２２）。そして、記録再生制御部４１は読み取ったＩＤＲＴ領域のデータに０（０ｘ００）以外のデータが存在するかどうかを判断する（ステップＳ１２４）。
【００７８】
上記ステップＳ１２４で判断した結果、ＩＤＲＴ領域のデータに０（０ｘ００）以外のデータが存在していなければ、記録再生制御部４１は、当該光ディスク５０は追記や上書きが可能であると判断する（ステップＳ１２６）。一方、上記ステップＳ１２４で判断した結果、ＩＤＲＴ領域のデータに０（０ｘ００）以外のデータが存在していれば、当該光ディスクは物理管理情報の更新に失敗したメディアであると判断し、記録再生制御部４１は、当該光ディスク５０は追記や上書きが不可能であると判断する（ステップＳ１２８）。また、いずれの場合であっても、当該光ディスクからのデータの読み込みは許可する。
【００７９】
以上、本発明の一実施形態にかかる記録方法で記録された光ディスクの再生方法について説明した。
【００８０】
以上説明したように、光ディスク５０のディスクカムコーダ１への挿入時に、光ディスク５０のＩＤＲＴ領域のデータを確認することで、当該光ディスク５０が物理管理情報の更新に成功したメディアであるか否かを判断することができる。
【００８１】
物理管理情報の更新に失敗したメディアであれば、そのままデータの記録を行うと、直前に光ディスク５０に記録したデータが破壊されてしまう恐れがあるので、そのようなメディアは追記や上書きを不可能とする。追記や上書きを不可能とすることで、直前に記録したデータは保護され、そのようなデータは各種復旧ツールを用いることでデータの再生が可能となる。
【００８２】
なお、上述した記録処理や再生処理は、ＲＯＭ２３に記録されたコンピュータプログラムを、ＣＰＵ２１が順次読み出すことによって行ってもよい。ＣＰＵ２１がコンピュータプログラムを実行することによって、上述した記録処理および再生処理を実行することができる。
【００８３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８４】
例えば、上記実施形態においては光ディスクへの記録および光ディスクからの再生を行う、本発明の記録再生装置の一例であるディスクカムコーダ１について説明したが、本発明はかかる例に限定されない。光ディスクへの記録のみを行う記録装置および光ディスクからの再生のみを行う再生装置についても当然に本発明を適用可能である。
【産業上の利用可能性】
【００８５】
本発明は、記録装置、再生装置、記録再生装置、記録方法および再生方法に適用可能であり、特に、光ディスクのような光学的手段によって書き換え可能な記録媒体に対する記録装置、再生装置、記録再生装置、記録方法および再生方法に適用可能である。
【図面の簡単な説明】
【００８６】
【図１】本発明の一実施形態にかかるディスクカムコーダ１の構成について説明する説明図である。
【図２】ディスクカムコーダ１に光ディスクが挿入された場合のディスクカムコーダ１の動作について説明する流れ図である。
【図３】本発明の一実施形態にかかるディスクカムコーダ１を用いたＰＦＩ情報取得処理について説明する流れ図である。
【図４】ＤＶＤ＋ＲＷの管理データ構造について説明する説明図である。
【図５】本発明の一実施形態にかかる、光ディスクへの記録方法について説明する流れ図である。
【図６】本発明の一実施形態にかかる記録方法で記録された光ディスクの再生方法について説明する流れ図である。
【符号の説明】
【００８７】
１    ディスクカムコーダ
２    制御部
３    カメラ部
４    記録再生処理部
２１    ＣＰＵ
２２    バス
２３    ＲＯＭ
２４    ＲＡＭ
２５    操作入力Ｉ／Ｆ
２６    表示制御部
２７    メモリカードＩ／Ｆ
２８    角速度検出器
２９    時計回路
３３    カメラ制御部
３４    光学ブロック
３５    信号変換器
３６    撮像信号処理部
３７    音声入力部
３８    音声信号処理部
４１    記録再生制御部
４２    サーボ回路
４３    スピンドルモータ
４４    スレッドモータ
４５    光ピックアップ
４６    信号処理部
４７    バッファメモリ
４８    符号化／復号回路
５０    光ディスク
５１    操作入力部
５２    表示部
５３    メモリカード
【図１】
0004428432.tif 000002
【図２】
0004428432.tif 000003
【図３】
0004428432.tif 000004
【図４】
0004428432.tif 000005
【図５】
0004428432.tif 000006
【図６】
0004428432.tif 000007